(57)【要約】【課題】端子盤に接続される電源コードが剥き出しにならないように外胴の内側に導入しカバーできるようにした空気調和機を提供する。【解決手段】熱交換器１および圧縮機２等を載置した底板３に外胴４が被着され、一側上部に電源コード５を接続する端子盤６が設けられると共に、一側下部に冷媒管７を接続する接続バルブ８が設けられてなる空気調和機の室外機において、前記外胴４の一側面に、前記接続バルブ８に隣接するコード導入口９と、前記端子盤６に隣接するコード導出口１０と、前記外胴４の一側面に連続成形され、前記電源コード５を前記コード導入口９から前記コード導出口１０へ導通するガイド部と、導通した前記電源コード５の一部を収容する収容部とからなる導通路を形成した。【選択図】  図１
2004233017.tif 000002
【特許請求の範囲】
【請求項１】
熱交換器および圧縮機等を載置した底板に外胴が被着され、一側上部に電源コードを接続する端子盤が設けられると共に、一側下部に冷媒管を接続する接続バルブが設けられてなる空気調和機の室外機において、
前記外胴の一側面に、前記接続バルブに隣接するコード導入口と、前記端子盤に隣接するコード導出口と、前記外胴の一側面に連続成形され、前記電源コードを前記コード導入口から前記コード導出口へ導通するガイド部と、導通した前記電源コードの一部を収容する収容部とからなる導通路が形成されてなることを特徴とする空気調和機の室外機。
【請求項２】
前記コード導入口および前記コード導出口が、側面で前後に分割された前記外胴の一端を開放するように切欠された切欠部からなり、前記ガイド部が、分割された前記外胴の他端に少なくとも前記切欠部に対向するように凹設されたガイド片からなり、前記収容部が、前記ガイド部と分割された前記外胴の一端に折曲形成された収容部側面とからなることを特徴とする請求項１に記載の空気調和機の室外機。
【請求項３】
前記ガイド片の上下部が、前記コード導入口および前記コード導出口に対応して曲面状に形成されてなることを特徴とする請求項２に記載の空気調和機の室外機。
【請求項４】
分割された前記外胴の前後両端の上下に雄雌の係止部が設けられると共に、前記コード導入口および前記コード導出口と、前記ガイド部と、前記収容部とが、前記上下の係止部の間に設けられるようにしてなることを特徴とする請求項２に記載の空気調和機の室外機。
【請求項５】
熱交換器および圧縮機等を載置した底板に外胴が被着され、一側上部に電源コードを接続する端子盤が設けられると共に、一側下部に冷媒管を接続する接続バルブが設けられてなる空気調和機の室外機において、
前記外胴の一側面に、前記接続バルブに隣接するコード導入口と、前記端子盤に隣接するコード導出口と、これらコード導入口およびコード導出口に夫々係合される両係合部を備え、同両係合部の間を接続して前記電源コードを導通すると共に、導通した電源コードの一部を収容する導通管とからなる導通路が形成されてなることを特徴とする空気調和機の室外機。
【請求項６】
前記導通管が、少なくとも湾曲させたコーナ部を有して凹状に折曲形成されてなることを特徴とする請求項５に記載の空気調和機の室外機。
【請求項７】
前記導通管の外周部に、複数の通気孔を設けてなることを特徴とする請求項５または請求項６に記載の空気調和機の室外機。
【請求項８】
前記複数の通気孔が、下方を開放するように形成されてなることを特徴とする請求項７に記載の空気調和機の室外機。
【請求項９】
前記導通管が合成樹脂からなり、セルフヒンジ部を介して左右に開閉可能な縦割り形状に形成されてなることを特徴とする請求項５乃至請求項７に記載の空気調和機の室外機。
【発明の詳細な説明】
【０００１】
【発明の属する技術分野】
本発明は、空気調和機の室外機に係わり、より詳細には、端子盤に接続される電源コードが剥き出しにならないように外胴の内側に導入しカバーできるようにした構造に関する。
【０００２】
【従来の技術】
従来の空気調和機の室外機（室外ユニット）として、工事時間を短縮し、さらに別部品使用によるコストアップを抑え、より高いエクステリア性を実現するものとして、接続ターミナルと接続弁および冷媒管の３ヶ所を同時に覆う機能を一体化した電源カバーにより、上記要部３ヶ所のカバーと他に室外ユニットの少なくとも側面の範囲において、電線を覆うようにしたものがあった（例えば、特許文献１参照。）。
【０００３】
しかしながら、上記構成でなる空気調和機の室外機（室外ユニット）においては、電源カバーが、接続ターミナルと接続弁および冷媒管の３ヶ所を同時に覆う機能を一体化したものであって、複数ヶ所を同時に覆うことができるという効果を奏する反面、電源カバー自体が大型化して取り扱いが不便になったり作業性が悪くなってしまうのに加えて、金型費用がかかってしまうことになり、コスト的にも不利になってしまうという問題点を有していた。
【０００４】
【特許文献１】
特開平６−２１３４８０号公報（第１頁、第１図）
【０００５】
【発明が解決しようとする課題】
本発明においては、上記の問題点に鑑み、端子盤に接続される電源コードが剥き出しにならないように外胴の内側に導入しカバーできるようにした空気調和機を提供することを目的とする。
【０００６】
【課題を解決するための手段】
本発明は、上記課題を解決するため、熱交換器および圧縮機等を載置した底板に外胴が被着され、一側上部に電源コードを接続する端子盤が設けられると共に、一側下部に冷媒管を接続する接続バルブが設けられてなる空気調和機の室外機において、
前記外胴の一側面に、前記接続バルブに隣接するコード導入口と、前記端子盤に隣接するコード導出口と、前記外胴の一側面に連続成形され、前記電源コードを前記コード導入口から前記コード導出口へ導通するガイド部と、導通した前記電源コードの一部を収容する収容部とからなる導通路が形成されてなる構成となっている。
【０００７】
また、前記コード導入口および前記コード導出口が、側面で前後に分割された前記外胴の一端を開放するように切欠された切欠部からなり、前記ガイド部が、分割された前記外胴の他端に少なくとも前記切欠部に対向するように凹設されたガイド片からなり、前記収容部が、前記ガイド部と分割された前記外胴の一端に折曲形成された収容部側面とからなる構成となっている。
【０００８】
また、前記ガイド片の上下部が、前記コード導入口および前記コード導出口に対応して曲面状に形成されてなる構成となっている。
【０００９】
また、分割された前記外胴の前後両端の上下に雄雌の係止部が設けられると共に、前記コード導入口および前記コード導出口と、前記ガイド部と、前記収容部とが、前記上下の係止部の間に設けられるようにしてなる構成となっている。
【００１０】
また、熱交換器および圧縮機等を載置した底板に外胴が被着され、一側上部に電源コードを接続する端子盤が設けられると共に、一側下部に冷媒管を接続する接続バルブが設けられてなる空気調和機の室外機において、
前記外胴の一側面に、前記接続バルブに隣接するコード導入口と、前記端子盤に隣接するコード導出口と、これらコード導入口およびコード導出口に夫々係合される両係合部を備え、同両係合部の間を接続して前記電源コードを導通すると共に、導通した電源コードの一部を収容する導通管とからなる導通路が形成されてなる構成となっている。
【００１１】
また、前記導通管が、少なくとも湾曲させたコーナ部を有して凹状に折曲形成されてなる構成となっている。
【００１２】
また、前記導通管の外周部に、複数の通気孔を設けてなる構成となっている。
【００１３】
また、前記複数の通気孔が、下方を開放するように形成されてなる構成となっている。
【００１４】
更に、前記導通管が合成樹脂からなり、セルフヒンジ部を介して左右に開閉可能な縦割り形状に形成されてなる構成となっている。
【００１５】
【発明の実施の形態】
以下、本発明の実施の形態を図面に基づいた実施例として詳細に説明する。
図１は本発明による空気調和機の室外機の一実施例における説明図で、（Ａ）は透過斜視図、（Ｂ）は分解斜視図であり、図２は本発明による空気調和機の室外機の一実施例における説明図で、（Ａ）は要部分解斜視図、（Ｂ）は要部平面図、（Ｃ）は（Ｂ）で示すＡ矢視図であり、図３は本発明による空気調和機の室外機の他の実施例における説明図で、（Ａ）は透過斜視図、（Ｂ）は分解斜視図であり、図４は本発明による空気調和機の室外機の他の実施例における説明図で、（Ａ）は側面図、（Ｂ）は要部断面図、（Ｃ）〜（Ｅ）は要部斜視図である。
【００１６】
本発明による空気調和機の室外機は、図で示すように、底板３上が、同底板３上に立設した仕切板ａにより熱交換器室と、圧縮機室とに区画され、前記熱交換器室に熱交換器１とこれに対向する送風ファンｄとが設けられ、前記圧縮機室に圧縮機２が設けられると共に、前記底板３には外胴４が被着された構成になっている。
【００１７】
前記圧縮機室の上部には、電源コード５を接続するための端子盤６が設けられており、側部には冷媒管７を接続するための接続バルブ８が設けられており、また、背面側には外気を吸い込む吸込口ｃが、前面側には前記熱交換器を通過した空気を吹き出す吹出口ｄが夫々設けられている。
【００１８】
前記電源コード５および前記冷媒管７は、配管カバー１８によって前記接続バルブ８の近傍までカバーされることにより、これら電源コード５および冷媒管７が剥き出しになってしまう範囲が狭くなるようにして、外観性を損なわないようにした構成になっている。
【００１９】
前記電源コード５および前記冷媒管７を、前記配管カバー１８によって前記接続バルブ８の近傍までカバーしたことに伴い、前記電源コード５を剥き出しにすることなく前記端子盤６に接続できるようにするため、前記外胴４の一側面に、前記接続バルブ８に隣接するコード導入口９と、前記端子盤６に隣接するコード導出口１０とを設け、前記電源コード５の一部が、前記コード導入口９から導入され前記コード導出口１０から導出されて前記端子盤６に接続されることにより、前記外胴４によってカバーされるようになっている。
【００２０】
前記電源コード５は、前記コード導入口９から導入され、且つ前記コード導出口１０から導出されることによって、前記外胴４の一部で効果的にカバーされたのち前記端子盤６に接続されるようになっているので、前記電源コード５のたるみが生じてしまうことがなくなるので、剥き出しになった前記電源コード５に身体の一部を引掛けてしまうといった事故を防止できるようになる。
【００２１】
次に、前記外胴４によって前記電源コード５の一部をカバーできるようにした構造に併せて、同電源コード５が前記外胴４の裏面で効果的に保護されるようにした構造について説明する。
【００２２】
一実施例として図１（Ａ）および図１（Ｂ）と、図２（Ａ）乃至図２（Ｃ）とで示すように、前記外胴４が、同外胴４の少なくとも側面で前部外胴４ａと後部外胴４ｂとに分割されると共に、前記コード導入口９および前記コード導出口１０が、前後に分割された前記外胴４の一端を夫々開放した切欠部からなる構成となっている。
【００２３】
前記後部外胴４ｂには、内側に折曲され上下に係止孔４ｄを備えた後部当接面４ｃと、同後部当接面４ｃ連続して前記後部外胴４ｂと平行状態に折曲され、前記電源コード５の収容部１４を構成する収容部側面４ｃ’  とが形成されると共に、前記上下の係止孔４ｄ同志の間には前記コード導出口１０および前記コード導入口９が上下に設けられている。
【００２４】
前記前部外胴４ａには、前記後部当接面４ｃに当接するように内側に折曲され、前記上下の係止孔４ｄに係止する係止爪４ｆを備えた前部当接面４ｅが設けられると共に、前記電源コード５を前記コード導入口９から前記コード導出口１０へ導くためのガイド部１３が形成され、同ガイド部１３と、これに対向する前記後部当接面４ｃの一部と、前記収容部側面４ｃ’  とで、前記電源コード５を導通するための導通路１２を構成し、前記コード導入口９から前記コード導出口１０へ導通した前記電源コード５を収容するための前記収容部１４が構成されるようになっている。
【００２５】
前記ガイド部１３は、図２（Ｃ）で示すように、前記コード導入口９および前記コード導出口１０の近傍が曲面状に形成されており、これによって、前記電源コード５を円滑に導けるようになっている。
【００２６】
または、他の実施例として図３（Ａ）および図３（Ｂ）と、図４（Ａ）乃至図４（Ｅ）で示すように、前記外胴４の一側面に、前記接続バルブ８に隣接するコード導入口９と、前記端子盤６に隣接するコード導出口１０と、これらコード導入口９およびコード導出口１０に夫々係合される両係合部１５を備え、同両係合部１５の間を接続して前記電源コード５を導通すると共に、導通した同電源コード５の一部を収容する導通管１６とからなる導通路１２が形成された構成となっている。
【００２７】
この場合、前記コード導入口９および前記コード導出口１０は、何れも前記外胴４の一側面に設けられた挿通孔１１からなる構成となっており、また、前記導通路１２が形成されたことにより、この導通路１２によって前記電源コード５が導かれたのち、余分なたるみを生じさせたりすることなく効果的に保護されることになる。
【００２８】
なお、前記導通管１６は、図４（Ｂ）乃至図４（Ｅ）で示すように、少なくとも湾曲させたコーナ部を有して凹状に折曲形成された構成になっているので、前記電源コード５を抵抗を少なくして円滑に導通できるようになっている。
【００２９】
その際、前記電源コード５は、前記導通管１６によって余分なたるみを生じさせたりすることなく効果的に保護されることになる。
【００３０】
ここで、上記に説明した一実施例について更に詳細に説明する。
すなわち、図２（Ａ）乃至図２（Ｃ）で示すように、前記導通路１２が、分割された前記外胴４の一方の周縁に設けられ、前記電源コード５を前記コード導入口９から前記コード導出口１０へ導くためのガイド片からなるガイド部１３と、分割された前記外胴４の他方の周縁に設けられ、前記ガイド部１３で導かれた前記電源コード５の一部を収容する収容部１４とで構成され、同収容部１４に収容されることによって前記電源コード５の一部が正確に保護される。
【００３１】
なお、前記ガイド片からなるガイド部１３が、分割された前記外胴４の一方の周縁に一体成形される一方、前記収容部１４が、分割された前記外胴４の他方の周縁に一体成形されているので、前記電源コード５をカバーするのに、例えば電源コードカバーを個別に製作したり取り付けたりする必要がなくなる。
【００３２】
次に、上記に説明した他の実施例について更に詳細に説明する。
すなわち、図４（Ａ）乃至図４（Ｅ）で示すように、前記導通路１２が、前記上下の挿通孔１１に係合される溝状の係合部１５と、同両係合部１５同志の間を接続して前記電源コード５を導通する導通管１６とで構成され、同導通管１６に収容されることによって前記電源コード５の一部が正確に保護されることになる。
【００３３】
その際、前記導通管１６の外周部には複数の通気孔１７が設けられているので、前記圧縮機室に設けられた前記圧縮機２によって生じた熱量を、前記導通管１６を通して外部に放熱できるようになっている。
【００３４】
なお、前記複数の通気孔１７は下方を開放するように形成されているので、前記圧縮機２によって生じた熱量を、前記導通管１６内に効果的に導入して外部に効率よく放熱できる効果を奏すると共に、前記電源コード５を前記コード導入口９から導入した際、その先端部が前記通気孔１７に引っ掛かったりしないで、前記コード導出口１０に向けて円滑に導ける効果を奏することになる。
【００３５】
また、図４（Ｃ）乃至図４（Ｅ）で示すように前記導通管１６が合成樹脂からなり、パーティングラインｅを有し、セルフヒンジ部１６ａ  を介して左右に開閉可能な縦割り形状に形成されることによって、コスト的に有利な構成で容易に樹脂成形できるようになり、図４（Ｂ）で示すように、前記両係合部１５を前記外胴４に設けられた挿通孔１１に容易に、且つ正確に係合できるようになっている。
【００３６】
【発明の効果】
以上説明したように、本発明によれば、端子盤に接続される電源コードが剥き出しにならないように外胴の内側に導入しカバーできるようにした空気調和機となる。
【図面の簡単な説明】
【図１】本発明による空気調和機の室外機の一実施例における説明図で、（Ａ）は透過斜視図であり、（Ｂ）は分解斜視図である。
【図２】本発明による空気調和機の室外機の一実施例における説明図で、（Ａ）は要部分解斜視図であり、（Ｂ）は要部平面図であり、（Ｃ）は（Ｂ）で示すＡ矢視図である。
【図３】本発明による空気調和機の室外機の他の実施例における説明図で、（Ａ）は透過斜視図であり、（Ｂ）は分解斜視図である。
【図４】本発明による空気調和機の室外機の他の実施例における説明図で、（Ａ）は側面図であり、（Ｂ）は要部断面図であり、（Ｃ）は導通管の展開斜視図であり、（Ｄ）は導通管を係合部側から見た斜視図であり、（Ｅ）は導通管を通気孔側から見た斜視図である。
【符号の説明】
１  熱交換器
２  圧縮機
３  底板
４  外胴
４ａ  前部外胴
４ｂ  後部外胴
４ｃ  後部当接面
４ｃ’  収容部側面
４ｄ  係止孔
４ｅ  前部当接面
４ｆ  係止爪
５  電源コード
６  端子盤
７  冷媒管
８  接続バルブ
９  コード導入口
１０  コード導出口
１１  挿通孔
１２  導通路
１３  ガイド部
１４  収容部
１５  係合部
１６  導通管
１７  通気孔
１８  配管カバー
ａ  仕切板
ｂ  送風ファン
ｃ  吸込口
ｄ  吹出口
ｅ  パーティングライン
【図１】
2004233017.tif 000003
【図２】
2004233017.tif 000004
【図３】
2004233017.tif 000005
【図４】
2004233017.tif 000006